(57)【要約】      （修正有）【課題】香料の容量を大きくして香料の発散量や、使用期間を長くすると共に、効果的に香料成分を乗員に届ける自動車用芳香剤を提供する。【構成】自動車用芳香剤を自動車の飲料容器保持部５００に載置した状態で、ケース２の側壁部は、自動車のエアコン吹き出し口５５０と対向する位置に一方の開口部２１が形成され、乗員側と対向する他方の位置に他方の開口部２２が形成され、芳香剤容器の香料発散部１０が、ケース２内の通風可能位置内に配置され、一方の開口部２１の上端位置が、他方の開口部２２の上端位置よりも高い位置に形成される。【選択図】図１
0003218692.tif 000002
【実用新案登録請求の範囲】
【請求項１】
上部に香料発散部を有し、内部に香料が充填される芳香剤容器と、
前記芳香剤容器の少なくとも前記香料発散部を内部に配置するケースと、を有する自動車用芳香剤において、
前記自動車用芳香剤は、自動車のセンターコンソール上もしくはダッシュボードの下部に純正装備された飲料容器保持部に載置可能な形状からなり、
前記ケースの側壁部は、前記自動車の飲料容器保持部に載置した状態で、自動車のエアコン吹き出し口と対向する一方の位置と乗員側と対向する他方の位置を有し、
前記一方の位置には一方の開口部が形成され、
前記他方の位置には他方の開口部が形成され、
前記ケース内の一方の開口部と他方の開口部間は通風可能に構成され、
前記芳香剤容器の香料発散部が、前記ケース内の通風可能位置内に配置され、
前記一方の開口部の上端位置が、前記他方の開口部の上端位置よりも高い位置に形成されることを特徴とする自動車用芳香剤。
【請求項２】
前記一方の開口部の上端位置は、前記自動車用芳香剤の底面位置から９０ｍｍ以上の位置に形成されることを特徴とする請求項１記載の自動車用芳香剤。
【請求項３】
前記自動車用芳香剤の底面位置から９０ｍｍ以上の位置に形成される前記一方の開口部の面積が１００ｍｍ２以上に構成されることを特徴とする請求項１または２記載の自動車用芳香剤。
【請求項４】
前記他方の開口部の下端位置は、前記一方の開口部の下端位置よりも低い位置に形成されることを特徴とする請求項１〜３の何れか１項記載の自動車用芳香剤。
【請求項５】
前記芳香剤容器内には液体香料が充填され、一端側が前記液体香料内に挿入され、毛管現象によって前記液体香料を吸い上げる吸上部材を有し、前記吸上部材の他端によって前記香料発散部が構成されることを特徴とする請求項１〜４の何れか１項記載の自動車用芳香剤。
【請求項６】
前記芳香剤容器内にはゲル状香料もしくは固形香料もしくは香料を吸着させた固形物質が充填され、前記ゲル状香料もしくは固形香料もしくは固形物質の表面を露出可能な手段を有し、前記ゲル状香料もしくは固形香料もしくは固形物質の表面によって前記香料発散部が構成されることを特徴とする請求項１〜４の何れか１項記載の自動車用芳香剤。
【請求項７】
前記芳香剤容器は、少なくとも一部に気体透過性フィルムを配置し、前記気体透過性フィルムの表面によって前記香料発散部が構成されることを特徴とする請求項１〜４の何れか１項記載の自動車用芳香剤。
【請求項８】
前記芳香剤容器内には液体香料が充填され、一端側が前記液体内に挿入され、電動吸い上げ機構によって前記液体香料を吸い上げる吸上部材を有し、前記電動吸い上げ機構によって吸い上げられた香料の放出部によって前記香料発散部が構成されることを特徴とする請求項１〜４の何れか１項記載の自動車用芳香剤。
【請求項９】
前記ケース内の前記香料発散部位置における通風可能な通風路の面積は、前記ケース内に形成された壁部材によって、前記一方の開口部の面積よりも狭く形成されることを特徴とする請求項１〜８の何れか１項記載の自動車用芳香剤。
【請求項１０】
前記ケース内の前記香料発散部もしくは前記香料発散部と一方の開口部の中間位置に、前記香料発散部を通過する風に渦を発生させる乱流発生部材が配置されることを特徴とする請求項１〜９の何れか１項記載の自動車用芳香剤。
【請求項１１】
前記側壁部の他方の位置には、前記芳香剤容器内の香料の残量が確認可能な窓部が形成され、前記窓部が前記他方の開口部の一部を兼ねる様に構成されることを特徴とする請求項１〜１０の何れか１項記載の自動車用芳香剤。
【考案の詳細な説明】
【技術分野】
【０００１】
本考案は、特に自動車のエアコン吹き出し口から吹く出す風を利用して香料を発散させる構造を有する芳香剤に関する。
【背景技術】
【０００２】
従来のエアコン吹き出し口から吹く出す風を利用して香料を発散させる構造を有する芳香剤として実開昭５９−７３９３７号公報に記載の放香器３００が公知であり、この放香器は、図１７、図１８に示すように、ケース体３０２がエアコンから吹き出す風の風入口３２１及び風出口３２２を有し、前記ケース体３０２の内部には芳香剤を収容する筒体３０１を配置した構成が開示されている。
【０００３】
しかしながら、この実開昭５９−７３９３７号公報に記載の放香器３００は、前記ケース体３０２の裏面に形成された係合リブ３２３に取り付けた取り付け金具３２４によって、自動車のエアコンのベンチレーター（エアコン吹き出し口）に取り付ける構造であるため、前記取り付け金具３２４によって自動車のエアコンのベンチレーター（エアコン吹き出し口）のルーバーに大きな負荷を掛けないために、この放香器の重量を軽くすることが望ましく、そのため、香料の容量が少なくなり香りの発散量や、使用期間が短くなる欠点と、取り付け金具の装備によってコストが上昇する欠点があった。
【０００４】
また、エアコン吹き出し口から吹く出す風を利用して空気を消臭する技術として、実用新案登録第３０４３５９４号公報に記載の消臭具４００では、図１９、２０に示すように、エアコン吹き出し口５５０に装着したドリンクホルダー６００を利用して、エアコン吹き出し口５５０の前に消臭具４００を配置した構成が開示されている。
【０００５】
この公知技術では、自動車用ドリンクホルダー６００にサイズを合わせた円筒形の容器４０２内に消臭剤４０１を収容し、自動車の冷暖房空気吹き出し口に面した円筒面下部に空気取入口４２１を、上面に空気流出口４２２を設けるように構成されるため、エアコン吹き出し口５５０から運転者等の乗員に向かって吹く出した風は、前記ドリンクホルダー６００および、前記消臭具４００の容器４０２の円筒面上部によって、その通風経路を阻害され、風向が左右方向や上方に変わってしまうため、冷気や暖房された風が運転者等の乗員に届き難くなるため不快であると同時に、この消臭具４００によって浄化された空気は上方に向かうので直接、転者等の乗員に届き難くなり不効率であった。
【０００６】
更に、この実用新案登録第３０４３５９４号公報に記載の技術では、消費者はこの消臭具４００と同時に、エアコン吹き出し口５５０に装着可能なドリンクホルダー６００を用意する必要があり、このドリンクホルダー６００はクリップ４２４でエアコン吹き出し口５５０に取り付けるため、エアコン吹き出し口５５０のルーバーに大きな負荷を掛けないために、この消臭具４００の重量を軽くすることが望ましく、更に使用者は、予めドリンクホルダー６００を購入する必要があるため、余計な費用が掛かってしまう欠点があった。
【先行技術文献】
【特許文献】
【０００７】
【特許文献１】実開昭５９−７３９３７号公報
【特許文献２】実用新案登録第３０４３５９４号公報
【考案の概要】
【考案が解決しようとする課題】
【０００８】
本考案の自動車用芳香剤は、自動車のエアコン吹き出し口から吹く出す風を利用して香料を発散させる構造でありながら、香料の容量を大きくして香料の発散量や、使用期間を長くすると共に、エアコン吹き出し口から吹く出す風の通風を阻害する要素を少なくして、運転者等の乗員に不快感を与えず、効果的に香料成分を運転者等の乗員に届けることを課題とする。
【課題を解決するための手段】
【０００９】
本考案の自動車用芳香剤は、上部に香料発散部を有し、内部に香料が充填される芳香剤容器と、前記芳香剤容器の少なくとも前記香料発散部を内部に配置するケースと、を有する自動車用芳香剤において、
前記自動車用芳香剤は、自動車のセンターコンソール上もしくはダッシュボードの下部に純正装備された飲料容器保持部に載置可能な形状からなり、前記ケースの側壁部は、前記自動車の飲料容器保持部に載置した状態で、自動車のエアコン吹き出し口と対向する一方の位置と乗員側と対向する他方の位置を有し、前記一方の位置には一方の開口部が形成され、前記他方の位置には他方の開口部が形成され、前記ケース内の一方の開口部と他方の開口部間は通風可能に構成され、前記芳香剤容器の香料発散部が、前記ケース内の通風可能位置内に配置され、前記一方の開口部の上端位置が、前記他方の開口部の上端位置よりも高い位置に形成されることを特徴とする。
【００１０】
更に、前記一方の開口部の上端位置は、前記自動車用芳香剤の底面位置から９０ｍｍ以上の位置に形成すると良い。
【００１１】
更に、前記自動車用芳香剤の底面位置から９０ｍｍ以上の位置に形成される前記一方の開口部の面積が１００ｍｍ２以上に構成すると良い。
【００１２】
更に、前記他方の開口部の下端位置は、前記一方の開口部の下端位置よりも低い位置に形成すると良い。
【００１３】
更に、前記芳香剤容器内には液体香料が充填され、一端側が前記液体香料内に挿入され、毛管現象によって前記液体香料を吸い上げる吸上部材を有し、前記吸上部材の他端によって前記香料発散部が構成すると良い。
【００１４】
また、前記芳香剤容器内にはゲル状香料もしくは固形香料もしくは香料を吸着させた固形物質が充填され、前記ゲル状香料もしくは固形香料もしくは固形物質の表面を露出可能な手段を有し、前記ゲル状香料もしくは固形香料もしくは固形物質の表面によって前記香料発散部を構成してもよい。
【００１５】
また、前記芳香剤容器は、少なくとも一部に気体透過性フィルムを配置し、前記気体透過性フィルムの表面によって前記香料発散部を構成してもよい。
【００１６】
また、前記芳香剤容器内には液体香料が充填され、一端側が前記液体内に挿入され、電動吸い上げ機構によって前記液体香料を吸い上げる吸上部材を有し、前記電動吸い上げ機構によって吸い上げられた香料の放出部によって前記香料発散部を構成してもよい。
【００１７】
更に、前記ケース内の前記香料発散部位置における通風可能な通風路の面積は、前記ケース内に形成された壁部材によって、前記一方の開口部の面積よりも狭く形成すると良い。
【００１８】
更に、前記ケース内の前記香料発散部もしくは前記香料発散部と一方の開口部の中間位置に、前記香料発散部を通過する風に渦を発生させる乱流発生部材が配置すると良い。
【００１９】
更に、前記側壁部の他方の位置には、前記芳香剤容器内の香料の残量が確認可能な窓部が形成され、前記窓部が前記他方の開口部の一部を兼ねる様に構成すると良い。
【考案の効果】
【００２０】
本考案の自動車用芳香剤は、自動車のエアコン吹き出し口から吹く出す風を利用して香料を発散させる構造でありながら、エアコン吹き出し口のルーバーに装着せず、自動車のセンターコンソール上もしくはダッシュボードの下部に純正装備された飲料容器保持部に載置して使用する構造であるため香料の容量を大きくして香料の発散量や、使用期間を長くすることができる効果を有する。
【００２１】
更に、本考案の自動車用芳香剤は、エアコン吹き出し口のルーバーに芳香剤も飲料容器保持具も装着しないため、エアコン吹き出し口から吹く出す風の通風を阻害する要素を少なくして、運転者等の乗員にエアコン吹き出し口から吹く出す風が十分届く配置することができる。
【００２２】
更に、前記他方の開口部を、前記一方の開口部よりも低い位置に形成されると、記他方の開口部から放出された香料成分を含む風は、運転者等の乗員の膝元もしくは腰部から身体に沿って顔の位置に流れてくるため、効率よく香りを感じることができる効果を有する。
【図面の簡単な説明】
【００２３】
【図１】本考案の第１の実施形態に係る自動車用芳香剤の使用状態を示す参考断面図である。
【図２】本考案の第１の実施形態に係る自動車用芳香剤の正面図である。
【図３】本考案の第１の実施形態に係る自動車用芳香剤の背面図である。
【図４】本考案の第１の実施形態に係る自動車用芳香剤の平面図である。
【図５】本考案の第１の実施形態に係る自動車用芳香剤のＡＡ線断面図である。
【図６】本考案の第１の実施形態に係る自動車用芳香剤のＢＢ線断面図である。
【図７】本考案の第１の実施形態に係る自動車用芳香剤の変形例を示す正面図である。
【図８】本考案の第１の実施形態に係る自動車用芳香剤の変形例を示す背面図である。
【図９】本考案の第１の実施形態に係る自動車用芳香剤の変形例を示すＣＣ線断面図である。
【図１０】本考案の第１の実施形態に係る自動車用芳香剤の変形例を示すＤＤ線断面図である。
【図１１】本考案の第１の実施形態に係る自動車用芳香剤の他の変形例の使用状態を示す参考断面図である。
【図１２】本考案の第２の実施形態に係る自動車用芳香剤の使用状態を示す参考断面図である
【図１３】本考案の第２の実施形態に係る自動車用芳香剤の正面図である。
【図１４】本考案の第２の実施形態に係る自動車用芳香剤の背面図である。
【図１５】本考案の第２の実施形態に係る自動車用芳香剤のＥＥ線断面図である。
【図１６】本考案の第２の実施形態に係る自動車用芳香剤のＦＦ線断面図である。
【図１７】従来技術の芳香器を示す斜視図である。
【図１８】従来技術の芳香器を示す断面図である。
【図１９】従来技術の消臭具を示す斜視図である。
【図２０】従来技術の消臭具を示す断面図である。
【考案を実施するための形態】
【００２４】
以下、本考案の実施例を添付された図面に基づいて説明する。尚、本考案において、する。
【実施例１】
【００２５】
図１〜図６に図示するように、本考案の第１実施例の自動車用芳香剤は、上部に香料発散部１０を有し、内部に液体香料１１が充填される芳香剤容器１と、前記芳香剤容器１を内部に配置するケース２と、を有する自動車用芳香剤において、前記自動車用芳香剤は、自動車の飲料容器保持部５００に載置可能な形状からなり、前記ケース２の側壁部２０は、前記自動車の飲料容器保持部５００に載置した状態で、自動車のエアコン吹き出し口５５０と対向する一方の位置と乗員側と対向する他方の位置を有し、前記一方の位置には一方の開口部２１が形成され、前記ケース２の側壁部２０の乗員側と対向する他方の位置には他方の開口部２２が形成され、前記一方の開口部２１は、前記ケース２の上方位置に形成され、前記ケース２内の一方の開口部２１と他方の開口部２２間は通風可能に構成され、前記芳香剤容器１の香料発散部１０の位置が、前記ケース２内の通風可能位置内に配置される。
【００２６】
前記ケース２の形状は、前記自動車の飲料容器保持部５００に保持される下方部分の最大外径を８０ｍｍ以下の外周形状に形成することによって、自動車のセンターコンソール上もしくはダッシュボードの下部に純正装備された飲料容器保持部５００に載置して使用することが可能となる。尚、前記ケース２の外周形状は、円筒形に限定されず、横断面形状が楕円形や曲線と直線を複合した形状であっても良く、また前記ケース２の前記飲料容器保持部５００への保持位置よりも上方位置の形状は本実施例に示すように、前記飲料容器保持部５００に保持される下方部分の前記最大外径を越えていてもよい。
【００２７】
前記一方の開口部２１は、前記ケース２の底面位置から９０ｍｍ以上の位置に少なくともその一部が形成されると共に、前記ケース２の底面位置から９０ｍｍ以上の位置に形成される前記一方の開口部２１の面積が１００ｍｍ２以上に構成されることによって、前記自動車に純正装備された飲料容器保持部５００の上方に設けられた自動車のエアコン吹き出し口５５０から吹き出す風を、前記一方の開口部２１から十分取り込むことが可能になる。
【００２８】
そして、前記一方の開口部２１から取り込んだ風は、前記香料発散部１０の周囲を通過することによって、前記香料発散部１０から香料成分を取り込み、前記他方の開口部２２から乗員に向けて放出されるように構成され、前記他方の開口部２２から放出された香料成分を含む風は、前記他方の開口部２２上端位置および下端位置が前記一方の開口部２１上端位置および下端位置よりも低い位置に形成されると、他方の開口部２２から放出される香料成分を含んだ風を、斜め下方に向かって放出することができるため、運転者等の乗員の膝元もしくは腰部から身体に沿って顔の位置に流すことができ、乗員に効率よく香りを届けることができる効果を有する。
【００２９】
本実施例の芳香剤容器１は、前記芳香剤容器１内部に充填された液体香料１１を毛管現象によって吸い上げるフエルト素材等よりなる吸上部材１２の一端側（下方部）が香料容器１内に挿入され、前記吸上部材１２の他端（上端部）によって前記香料発散部１０が構成される。尚、この液体香料１１を毛管現象によって吸い上げるフエルト素材等の構成については既存の技術を使用することができる。
【００３０】
前記ケース２内の前記香料発散部１０の位置における通風可能な通風路２３の面積は、前記ケース２内に形成されたリブによる壁部材２４によって、前記一方の開口部２１の面積よりも狭く形成されることにより前記香料発散部１０を通過する風の流速が速くなり、単位時間当たりの香料成分発散量を向上させる効果を有する。また、この壁部材２４の下端部の少なくとも一部を、前記香料容器1の上面と当接させることによって、ケース２内での前記香料容器１のガタツキを押さえることができる。
【００３１】
尚、前記ケース２の側壁部２０の他方の位置には、前記芳香剤容器１内の香料１１の残量が確認可能な窓部２２ｂが形成され、前記窓部２２ｂが前記他方の開口部２２の一部を兼ねる様に構成されることによって、前記他方の開口部２２は、前記香料発散部２０を通過した風を運転者等の乗員に向けて吹き出すことができると共に、前記芳香剤容器１内の液体香料１１の残量が確認可能となるため相乗効果を有する。
【００３２】
また、本考案の自動車用芳香剤における芳香剤容器の変形例として図７〜図１０に図示するように、前記芳香剤容器１０１内にはゲル状香料もしくは固形香料もしくは香料を吸着させた固形物質からなる非液体香料１１１が充填され、前記芳香剤容器１０１の上縁部には前記ゲル状香料もしくは固形香料もしくは香料を吸着させた固形物質からなる非液体香料１１１の表面を覆うアルミ蒸着フィルム１１２が剥離可能に貼り付けられ、前記芳香剤容器１０１の上縁部から前記アルミ蒸着フィルム１１２の一部もしくは全部を剥離することによって、前記ゲル状香料もしくは固形香料もしくは香料を吸着させた固形物質からなる非液体香料１１１が前記ケース１０２内に露出可能に構成することにより、前記ゲル状香料もしくは固形香料もしくは香料を吸着させた固形物質からなる非液体香料１１１の表面によって前記香料発散部１１０が構成されるようにしてもよい。尚、本考案において前記芳香剤容器１０１の上縁部に貼り付けられるフィルムはアルミ蒸着フィルムに限定されず、既存の技術を応用することができる。
【００３３】
前記の本考案の変形例において、前記ケース２内の前記香料発散部１１０上もしくは前記香料発散部１１０と一方の開口部２１との間の位置の通風路２３内に、前記一方の開口部２１から取り入れた風の流れを掻き乱すように形成された、板状もしくは棒状の乱流発生部材２５が配置され、前記ゲル状香料もしくは固形香料等の揮発成分が揮発することによって体積が減少し、前記香料発散部１１０となる前記ゲル状香料もしくは固形香料等の表面が、前記芳香剤容器１０１の底面方向に移動した場合にも、前記乱流発生部材２５によって前記香料発散部１１０の周囲を通過する風に渦状の乱流が発生することによって、効率良く香料の揮発成分を揮発させることができる。
【００３４】
また、本考案の自動車用芳香剤の更なる変形例として、既存の技術を用いて、前記芳香剤容器の少なくとも一部に気体透過性フィルムを配置し、前記気体透過性フィルムの表面によって前記香料発散部が構成されるようにしてもよい（図示せず）。
【００３５】
また、本考案の自動車用芳香剤の更なる変形例として、既存の技術を用いて、液体香料が充填され芳香剤容器において、一端側が前記液体内に挿入され、電動の吸い上げ機構によって前記液体香料を吸い上げる吸上部材を有し、前記電動の吸い上げ機構によって吸い上げられた液体香料の放出部によって前記香料発散部を構成してもよい（図示せず）。
【００３６】
尚、本考案の自動車用芳香剤は、図１１に示す様に、前記一方の開口部２１の上方もしくは周囲に、前記一方の開口部２１内へ風を効率よく導くための導風部２６を設けても良く、更に前記導風部２６は、引き出し式など、その大きさを調整可能な構造を用いてもよい。（図示せず）
【実施例２】
【００３７】
図１２〜図１６に図示するように、本考案の第２実施例の自動車用芳香剤は、上部に香料発散部２１０を有し、内部に液体香料２１１が充填される芳香剤容器２０１と、前記芳香剤容器２０１の上面と前記香料発散部２１０を内部に配置するケース２０２と、を有する自動車用芳香剤において、前記自動車用芳香剤は、自動車の飲料容器保持部５００に載置可能な形状からなり、前記ケース２０２の側壁部２２０は、前記自動車の飲料容器保持部５００に載置した状態で、自動車のエアコン吹き出し口５５０と対向する一方の位置と乗員側と対向する他方の位置を有し、前記一方の位置には一方の開口部２２１が形成され、前記ケース２０２の側壁部２２０の乗員側と対向する他方の位置には他方の開口部２２２が形成され、前記一方の開口部２２１は、前記ケース２０２の上方位置に形成され、前記ケース２０２内の一方の開口部２２１と他方の開口部２２２間は通風可能に構成され、前記芳香剤容器２０１の香料発散部２１０の位置が、前記ケース２０２内の通風可能位置内に配置される。
【００３８】
本実施例の自動車用芳香剤の自動車の飲料容器保持部５００に保持可能な下方部分の形状は、前記芳香剤容器２０１と、前記ケース２０２の何れも最大外径を８０ｍｍ以下の外周形状に形成することによって、自動車のセンターコンソール上もしくはダッシュボードの下部に純正装備された飲料容器保持部５００に載置して使用することが可能となる。尚、前記芳香剤容器２０１と、前記ケース２０２の外周形状は、円筒形に限定されず、横断面形状が楕円形や曲線と直線を複合した形状であっても良く、また前記ケース２０２の前記飲料容器保持部５００への保持位置よりも上方位置の形状は本実施例に示すように、前記飲料容器保持部５００に保持される下方部分の前記最大外径を越えていてもよい。
【００３９】
前記ケース２０２の前記一方の開口部２２１は、前記芳香剤容器２０１の底面位置から９０ｍｍ以上の位置に、少なくともその一部が形成されると共に、前記ケース２０２の底面位置から９０ｍｍ以上の位置に形成される前記一方の開口部２２１の面積が１００ｍｍ２以上に構成されることによって、前記自動車に純正装備された飲料容器保持部５００の上方に設けられた自動車のエアコン吹き出し口５５０から吹き出す風を、前記一方の開口部２２１から十分取り込むことが可能になる。
【００４０】
そして、前記一方の開口部２２１から取り込んだ風は、前記香料発散部２１０の周囲を通過することによって、前記香料発散部２１０から香料成分を取り込み、前記他方の開口部２２２から乗員に向けて放出されるように構成され、前記他方の開口部２２２から放出された香料成分を含む風は、前記他方の開口部２２２上端位置および下端位置が前記一方の開口部２２１上端位置および下端位置よりも低い位置に形成されると、他方の開口部２２２から放出される香料成分を含んだ風を、斜め下方に向かって放出することができるため、運転者等の乗員の膝元もしくは腰部から身体に沿って顔の位置に流すことができ、乗員に効率よく香りを届けることができる効果を有する。
【００４１】
本実施例の芳香剤容器２０１は、前記芳香剤容器２０１内部に充填された液体香料２１１を毛管現象によって吸い上げるフエルト素材等よりなる吸上部材２１２の一端側（下方部）が香料容器２０１内に挿入され、前記吸上部材２１２の他端（上端部）によって前記香料発散部２１０が構成される。尚、この液体香料２１１を毛管現象によって吸い上げるフエルト素材等の構成については既存の技術を使用することができる。
【００４２】
前記ケース２０２内の前記香料発散部２１０の位置における通風可能な通風路２２３の面積は、前記ケース２０２内に形成されたリブによる壁部材２２４によって、前記一方の開口部２２１の面積よりも狭く形成されることにより前記香料発散部２１０を通過する風の流速が速くなり、単位時間当たりの香料成分発散量を向上させる効果を有する。
【００４３】
尚、前記ケース２０２の側壁部２２０の他方の位置には、前記芳香剤容器２０１内の香料２１１の残量が確認可能な窓部２２２ｂが形成され、前記窓部２２２ｂが前記他方の開口部２２２の一部を兼ねる様に構成されることによって、前記他方の開口部２２２は、前記香料発散部２２０を通過した風を運転者等の乗員に向けて吹き出すことができると共に、前記芳香剤容器２０１内の香料２１１の残量が確認可能となるため相乗効果を有する。
【００４４】
また、本考案の自動車用芳香剤における芳香剤容器の変形例として、本考案の第１実施例で示した様に、芳香剤容器内の充填した前記ゲル状香料もしくは固形香料もしくは香料を吸着させた固形物質の表面によって前記香料発散部が構成されるようにしても良く、前記芳香剤容器の少なくとも一部に気体透過性フィルムを配置し、前記気体透過性フィルムの表面によって前記香料発散部が構成されるようにしても良く、電動の吸い上げ機構によって吸い上げられた液体香料の放出部によって前記香料発散部を構成してもよい。（図示せず）
【００４５】
尚、本考案の自動車用芳香剤は、本考案の第１実施例で示した様に、前記一方の開口部２２１の上方もしくは周囲に、前記一方の開口部２２１内へ風を効率よく導くための導風部を設けても良く（図示せず）、更に前記導風部は、引き出し式など、その大きさを調整可能な構造を用いてもよい。（図示せず）
【産業上の利用可能性】
【００４６】
本考案の自動車用芳香剤は、自動車のエアコン吹き出し口から吹く出す風を利用して香料成分を発散させる構造を有する芳香剤として、産業上有効に利用することができる。
【符号の説明】
【００４７】
１：芳香剤容器、２：ケース、１０：香料発散部、１１：香料、１２：吸上部材、２０：側壁部、２１：一方の開口部、２２：他方の開口部、２２ｂ：窓部、２３：通風路、２４：壁部材、２５：乱流発生部材、２６：導風部、１０１：芳香剤容器、１１０：香料発散部、１１１：非液体香料、１１２：フィルム、１１３：、２０：側壁部、２１：一方の開口部、２２：他方の開口部、２２ｂ：窓部、２０１：芳香剤容器、２０２：ケース、２１０：香料発散部、２１１：液体香料、２１２：吸上部材、２２０：側壁部、２２１：一方の開口部、２２２：他方の開口部、２２２ｂ：窓部、２２３：通風路、２２４：壁部材、３００：放香器、３０１：筒体、３０２：ケース体、３２１：風入口、３２２：風出口、３２３：係合リブ、３２４：取り付け金具、４００：消臭具、４０１：消臭剤、４０２：容器、４２１：空気取入口、４２２：空気流出口、４２４：クリップ、５００：飲料容器保持部、５５０：エアコン吹き出し口、６００：ドリンクホルダー
【図１】
0003218692.tif 000003
【図２】
0003218692.tif 000004
【図３】
0003218692.tif 000005
【図４】
0003218692.tif 000006
【図５】
0003218692.tif 000007
【図６】
0003218692.tif 000008
【図７】
0003218692.tif 000009
【図８】
0003218692.tif 000010
【図９】
0003218692.tif 000011
【図１０】
0003218692.tif 000012
【図１１】
0003218692.tif 000013
【図１２】
0003218692.tif 000014
【図１３】
0003218692.tif 000015
【図１４】
0003218692.tif 000016
【図１５】
0003218692.tif 000017
【図１６】
0003218692.tif 000018
【図１７】
0003218692.tif 000019
【図１８】
0003218692.tif 000020
【図１９】
0003218692.tif 000021
【図２０】
0003218692.tif 000022